(57)【要約】      （修正有）【課題】  利用者に代わり共架にかかる一連の業務を効率的に代行することができるシステムを提供する。【解決手段】  利用者２からのアクセスを受け付けると共に、地図データを提供して代行業務を受け付ける代行業務受付手段３１と、地図データ上で利用者２が指定した共架ルートの共架始点及び共架終点に基づいて、地図データ管理データベース３０１から中継地点となる共架ポイントを抽出して、該当する共架ルートを検索する共架ルート検索手段３２と、検索された共架ルートを考慮条件データベース３０３及び共架状況管理データベース３０２に基づいて共架パターンとして抽出する共架パターン抽出手段３３と、抽出された共架パターンを費用対効果に基づいて利用者２に対して複数パターン提案する共架パターン提案手段３４と、利用者２が選定した共架パターンを受け付けて、該当する会社に対する共架の申請業務を代行する申請代行手段３５とを具備する。【選択図】  図２
2006134226.tif 000002
【特許請求の範囲】
【請求項１】
支持物に関する位置データを含む地図データを管理する地図データ管理データベース、最新の共架状況を管理する共架状況管理データベース、共架の際に考慮すべき条件を管理する考慮条件データベースを含むデータベースと、
前記地図データ上で指定した共架ルートの共架始点及び共架終点に基づいて、前記地図データ管理データベースから共架始点から共架終点に至るまでの中継地点となる共架ポイントを抽出して、該当する共架ルートを検索する共架ルート検索手段と、
前記共架ルート検索手段により検索された共架ルートを前記考慮条件データベース及び共架状況管理データベースに基づいて共架パターンとして抽出する共架パターン抽出手段と、
前記共架パターン抽出手段により抽出された共架パターンを複数パターン提案する共架パターン提案手段とを具備することを特徴とする共架システム。
【請求項２】
共架物を取り付けるための支持物を所有する複数の会社に対する共架申込みを利用者の代わりに代行するための共架業務代行システムであって、
支持物に関する位置データを含む地図データを管理する地図データ管理データベース、最新の共架状況を管理する共架状況管理データベース、共架の際に考慮すべき条件を管理する考慮条件データベースを含むデータベースと、
利用者からの申し出を受け付けると共に、前記地図データを提供して代行業務を受け付ける代行業務受付手段と、
前記地図データ上で利用者が指定した共架ルートの共架始点及び共架終点に基づいて、前記地図データ管理データベースから共架始点から共架終点に至るまでの中継地点となる共架ポイントを抽出して、該当する共架ルートを検索する共架ルート検索手段と、
前記共架ルート検索手段により検索された共架ルートを前記考慮条件データベース及び共架状況管理データベースに基づいて共架パターンとして抽出する共架パターン抽出手段と、
前記共架パターン抽出手段により抽出された共架パターンを費用対効果に基づいて前記利用者が所望の経済効果に応じて選定できるように複数パターン提案する共架パターン提案手段と、
前記利用者が選定した共架パターンを受け付けて、該当する会社に対する共架の申請業務を代行する申請代行手段とを具備することを特徴とする共架業務代行システム。
【請求項３】
請求項２において、前記データベースは、前記支持物を所有する会社毎の共架に関する工事基準及び共架工事に関する工事実績を管理する工事情報管理データベースをさらに含み、
前記利用者から共架工事の依頼があった場合に機能するための、
前記工事情報管理データベースに基づいて共架パターンの内容に応じた工事の請負会社を選定して、該当する共架工事パターンを抽出する共架工事パターン抽出手段と、
前記共架工事パターン抽出手段により抽出された共架工事パターンを費用対効果に基づいて前記利用者に対して複数パターン提案する共架工事パターン提案手段と、
前記利用者が選定した共架工事パターンを受け付けて、該当する工事請負会社に対する共架工事の申込みを代行する共架工事依頼代行手段とを具備することを特徴とする共架業務代行システム。
【請求項４】
請求項３において、前記データベースは、共架工事の請負会社毎に関する所定期間内の状態を管理する工事会社状態管理データベースをさらに含み、
前記共架工事パターン提案手段は、前記工事会社状態管理データベースに基づいて、請負会社の状態に応じた共架工事パターンを提案することを特徴とする共架業務代行システム。
【請求項５】
請求項３又は４において、共架工事の請負会社による共架工事が完了した際に、当該請負会社から報告される工事後の共架状況を前記共架状況管理データベースに反映させることを特徴とする共架業務代行システム。
【請求項６】
請求項２〜５の何れかにおいて、地図データの変更及び日常点検で発生した共架状況にかかる情報の変更が発生した場合に、当該変更した情報を前記データベースに更新することを特徴とする共架業務代行システム。
【請求項７】
請求項２〜６の何れかにおいて、前記共架状況管理データベースには、少なくとも現地における最新の共架状況が示された画像が含まれており、前記共架パターン抽出手段は、前記画像に基づく最新の現地状態に応じた共架パターンを抽出することを特徴とする共架業務代行システム。
【請求項８】
請求項２〜７の何れかにおいて、前記共架パターン提案手段により提案される共架パターンは、少なくとも、支持物を所有する会社情報を示す所有区分、対象設備を改造する必要があるか否かを示す改造工事の有無、共架にかかる費用を示すトータル費用、共架始点から共架終点までの距離を示すルート距離、利用開始までの準備期間の何れかの要素で特定されることを特徴とする共架業務代行システム。
【請求項９】
請求項３〜７の何れかにおいて、前記共架工事パターン提案手段により提案される共架工事パターンは、少なくとも、共架工事を担当する工事請負会社を示す担当区分、共架工事にかかる期間を示す工事期間、共架工事にかかる工事費用の何れかの要素で特定されることを特徴とする共架業務代行システム。
【発明の詳細な説明】
【技術分野】
【０００１】
本発明は、最適な共架ルートを構築するための支持物を選定する共架システムに関する。さらに、本発明は、共架ルートを構築する際に共架物を取り付けるための支持物を所有する複数の会社を対象とする共架申込みを利用者の代わりに代行するための共架業務代行システムに関し、特に、支持物を所有する会社が複数存在する場合に最適な共架ルートを提案して代行できるようにしたものである。
【背景技術】
【０００２】
一般に、伝送路を構築する際には、まず、伝送路設備などの支持物（例えば、電柱）を所有する会社（例えば、電力会社、電話会社など）に対して共架の申込みを行う。そして、共架の申込みが承認された場合に、伝送路設備に電線類などを共架することで、必要な伝送路を構築することができる。このように、従来から、伝送路の構築においては、他者間（電力会社−電話会社間）で電線類などを有料で架設し合う、或いは一般の通信事業者（例えば、有線放送、ＣＡＴＶなど）に対して電線類などを有料で架設させる共架という手法が用いられていた。この場合、例えば、構築したい伝送路が複数会社間に跨る場合には、一般の通信事業者側などは、それぞれの会社に対して共架の申込みを行わなければならないという手間が発生していた。
【０００３】
また、共架が承認された後、伝送路を構築する際には、利用者側で、電線類などの共架物を取り付ける支持物を所有する会社の工事基準に準じた共架工事を実施しなければならない。
【０００４】
上述のように、共架物を取り付ける支持物を所有する会社は複数に及んでいるため、構築したい伝送路のルート上に必ずしも同一の会社が所有する支持物があるとは限らない。このため、共架の申込みや共架工事にかかる一連の業務には、利用者側に対する負担が多くかなりの労力を要していた。
【０００５】
なお、共架に関連する技術として、例えば、共架物の現地調査を支援するシステム（特許文献１参照）などが提案されているが、利用者側の立場を考慮してその負担を軽減させるようなシステムは未だ提案されていない。
【０００６】
【特許文献１】特開２００２−１３２８７３号公報
【発明の開示】
【発明が解決しようとする課題】
【０００７】
本発明はこのような事情に鑑み、共架の利用を希望する利用者が容易に利用することができると共に、当該利用者に代わり共架にかかる一連の業務を効率的に代行することができるシステムを提供することを課題とする。
【課題を解決するための手段】
【０００８】
上記課題を解決する本発明の第１の態様は、支持物に関する位置データを含む地図データを管理する地図データ管理データベース、最新の共架状況を管理する共架状況管理データベース、共架の際に考慮すべき条件を管理する考慮条件データベースを含むデータベースと、前記地図データ上で指定した共架ルートの共架始点及び共架終点に基づいて、前記地図データ管理データベースから共架始点から共架終点に至るまでの中継地点となる共架ポイントを抽出して、該当する共架ルートを検索する共架ルート検索手段と、前記共架ルート検索手段により検索された共架ルートを前記考慮条件データベース及び共架状況管理データベースに基づいて共架パターンとして抽出する共架パターン抽出手段と、前記共架パターン抽出手段により抽出された共架パターンを複数パターン提案する共架パターン提案手段とを具備することを特徴とする共架システムにある。
【０００９】
かかる第１の態様では、地図データ上で指定した共架始点及び共架終点に基づいて該当する共架ルートが検索され、その共架ルートが最新の共架状況及び考慮すべき条件に基づいて共架パターンとして抽出され、当該共架パターンが複数パターン提案される。これにより、最新の共架状況及び条件に基づいて、最適な共架ルートを構築するための複数のパターンを提案することができる。
【００１０】
本発明の第２の態様は、共架物を取り付けるための支持物を所有する複数の会社に対する共架申込みを利用者の代わりに代行するための共架業務代行システムであって、支持物に関する位置データを含む地図データを管理する地図データ管理データベース、最新の共架状況を管理する共架状況管理データベース、共架の際に考慮すべき条件を管理する考慮条件データベースを含むデータベースと、利用者からの申し出を受け付けると共に、前記地図データを提供して代行業務を受け付ける代行業務受付手段と、前記地図データ上で利用者が指定した共架ルートの共架始点及び共架終点に基づいて、前記地図データ管理データベースから共架始点から共架終点に至るまでの中継地点となる共架ポイントを抽出して、該当する共架ルートを検索する共架ルート検索手段と、前記共架ルート検索手段により検索された共架ルートを前記考慮条件データベース及び共架状況管理データベースに基づいて共架パターンとして抽出する共架パターン抽出手段と、前記共架パターン抽出手段により抽出された共架パターンを費用対効果に基づいて前記利用者が所望の経済効果に応じて選定できるように複数パターン提案する共架パターン提案手段と、前記利用者が選定した共架パターンを受け付けて、該当する会社に対する共架の申請業務を代行する申請代行手段とを具備することを特徴とする共架業務代行システムにある。
【００１１】
かかる第２の態様では、地図データ上で利用者が指定した共架始点及び共架終点に基づいて該当する共架ルートが検索され、その共架ルートが共架状況及び考慮すべき条件に基づいて共架パターンとして抽出され、費用対効果に基づいて複数パターンが利用者に提案される。利用者が所望の経済効果に応じて選定した共架パターンが受け付けられると、該当する会社に対する共架の申請業務が代行される。これにより、利用者が希望する共架にかかる業務を効率的に代行することができると共に、利用者側も地図データ上で共架始点及び共架終点を指定するだけで、容易に共架を利用することができる。
【００１２】
本発明の第３の態様は、第２の態様において、前記データベースは、前記支持物を所有する会社毎の共架に関する工事基準及び共架工事に関する工事実績を管理する工事情報管理データベースをさらに含み、前記利用者から共架工事の依頼があった場合に機能するための、前記工事情報管理データベースに基づいて共架パターンの内容に応じた工事の請負会社を選定して、該当する共架工事パターンを抽出する共架工事パターン抽出手段と、前記共架工事パターン抽出手段により抽出された共架工事パターンを費用対効果に基づいて前記利用者に対して複数パターン提案する共架工事パターン提案手段と、前記利用者が選定した共架工事パターンを受け付けて、該当する工事請負会社に対する共架工事の申込みを代行する共架工事依頼代行手段とを具備することを特徴とする共架業務代行システムにある。
【００１３】
かかる第３の態様では、利用者から共架工事の依頼があった場合に、共架工事パターンが抽出され、費用対効果に基づいて複数パターンが利用者に対して提案され、当該利用者が選定した共架工事パターンが受け付けられると、該当する工事請負会社に対する共架工事の申込みが代行される。これにより、利用者が共架工事を希望する場合でもあっても、共架工事にかかる業務を効率的に代行することができる。
【００１４】
本発明の第４の態様は、第３の態様において、前記データベースは、共架工事の請負会社毎に関する所定期間内の状態を管理する工事会社状態管理データベースをさらに含み、前記共架工事パターン提案手段は、前記工事会社状態管理データベースに基づいて、請負会社の状態に応じた共架工事パターンを提案することを特徴とする共架業務代行システムにある。
【００１５】
かかる第４の態様では、共架工事の請負会社毎に関する所定期間内の状態が管理されたデータベースに基づいて、請負会社の状態に応じた共架工事パターンが提案される。
【００１６】
本発明の第５の態様は、第３又は４の態様において、共架工事の請負会社による共架工事が完了した際に、当該請負会社から報告される工事後の共架状況を前記共架状況管理データベースに反映させることを特徴とする共架業務代行システムにある。
【００１７】
かかる第５の態様では、共架工事が完了した際に報告される工事後の共架状況がデータベースに反映される。これにより、工事後の共架状況を最新の共架状況として管理することができる。
【００１８】
本発明の第６の態様は、第２〜５の何れかの態様において、地図データの変更及び日常点検で発生した共架状況にかかる情報の変更が発生した場合に、当該変更した情報を前記データベースに更新することを特徴とする共架業務代行システムにある。
【００１９】
かかる第６の態様では、地図データ及び共架状況が変更した場合に、変更した情報がデータベースに更新される。これにより、最新の地図データ及び共架状況を管理することができる。
【００２０】
本発明の第７の態様は、第２〜６の何れかの態様において、前記共架状況管理データベースには、少なくとも現地における最新の共架状況が示された画像が含まれており、前記共架パターン抽出手段は、前記画像に基づく最新の現地状態に応じた共架パターンを抽出することを特徴とする共架業務代行システムにある。
【００２１】
かかる第７の態様では、現地における最新の共架状況が示された画像に基づいて、最新の現地状態に応じた共架パターンが抽出される。
【００２２】
本発明の第８の態様は、第２〜７の何れかの態様において、前記共架パターン提案手段により提案される共架パターンは、少なくとも、支持物を所有する会社情報を示す所有区分、対象設備を改造する必要があるか否かを示す改造工事の有無、共架にかかる費用を示すトータル費用、共架始点から共架終点までの距離を示すルート距離、利用開始までの準備期間の何れかの要素で特定されることを特徴とする共架業務代行システムにある。
【００２３】
かかる第８の態様では、所有区分、改造工事の有無、トータル費用、ルート距離、準備期間の何れかの要素を用いて共架パターンが特定される。
【００２４】
本発明の第９の態様は、第３〜７の何れかの態様において、前記共架工事パターン提案手段により提案される共架工事パターンは、少なくとも、共架工事を担当する工事請負会社を示す担当区分、共架工事にかかる期間を示す工事期間、共架工事にかかる工事費用の何れかの要素で特定されることを特徴とする共架業務代行システムにある。
【００２５】
かかる第９の態様では、担当区分、工事期間、工事費用の何れかの要素を用いて共架工事パターンが特定される。
【発明の効果】
【００２６】
本発明の共架システムによれば、最適な共架ルートを構築するための支持物を容易に選定することができる。また、本発明の共架業務代行システムによれば、利用者は希望する共架ルートの共架始点と共架終点を地図データ上で指定するだけで容易に共架を利用することができる。さらに、本発明によれば、例えば、最新の共架状況、共架の際に考慮すべき条件、及び費用対効果などに基づいて、幾つかの共架パターンを効率的に利用者に対して提案することができる。したがって、本発明によれば、共架の利用を希望する利用者が容易に利用することができると共に、当該利用者に代わり共架にかかる一連の業務を効率的に代行することができるシステムを提供することが可能となる。
【発明を実施するための最良の形態】
【００２７】
以下、図面を用いて本発明を実施するための最良の形態について説明する。なお、本実施形態の説明は例示であり、本発明の構成は以下の説明に限定されない。
【００２８】
本実施形態は、例えば、電力会社や電話会社が所有する支持物としての電柱に、有線放送やケーブルテレビ（ＣＡＴＶ）の事業者である利用者が、共架物として放送用のケーブル等を取り付ける場合に適用され、電力会社や電話会社に対する共架の申し込みを事業者に代わって行うものである。そのとき、事業者が求める経済効果（所望の経済効果）などに対応するため、複数の共架パターンを提供して事業者が費用や工事期間などを考慮して最適な共架ルートを選択できるようにしたものである。
【００２９】
図１は、本発明の一実施形態に係る共架業務代行システムの概略構成を示す図である。なお、本実施形態は、共架業務代行センタ３が、電力会社４又は電話会社５に対する共架申込みを利用者２の代わりに代行する場合を例示している。
【００３０】
図示するように、本実施形態の共架業務代行システム１は、共架を希望する利用者２、利用者２の代わりに共架申込みを代行する共架業務代行センタ３、共架物を取り付けるための支持物を所有する電力会社４、共架物を取り付けるための支持物を所有する電話会社５、共架工事を請け負う工事請負会社６ａ、及び６ｂが、それぞれネットワーク１０を介して接続されており、利用者２からネットワーク１０を介した共架業務代行センタ３へのアクセスを受け付けることで、共架業務の代行を実施する。
【００３１】
ここで、本実施形態では、共架業務代行センタ３を電力会社４及び電話会社５とは独立した第三者機関として位置付けているが、これに限定されず、例えば、共架業務代行センタ３及び電力会社４からなる共架業務代行センタ３ａ、又は共架業務代行センタ３及び電話会社５からなる共架業務代行センタ３ｂとして構成するようにしてもよい。これにより、団体や組織にとらわれない自由なシステムを構築することが可能となる。
【００３２】
次に、共架業務代行システム１のシステム構成について説明する。図２は、本発明の一実施形態に係る共架業務代行システムのシステム構成を示す図である。
【００３３】
図示するように、共架業務代行センタ３内に設置されている共架業務代行サーバ３０は、利用者２が保持する端末２０とネットワーク１０を介して接続されている。
【００３４】
具体的には、共架業務代行サーバ３０は、少なくとも、代行業務受付手段３１、共架ルート検索手段３２、共架パターン抽出手段３３、共架パターン提案手段３４、申請代行手段３５、及びデータベース（以下、「ＤＢ」とも称する）３００を含み構成されている。
【００３５】
代行業務受付手段３１は、利用者２からの申し出を受け付けると共に、後述する地図データ管理ＤＢ３０１で管理されている地図データを提供して代行業務を受け付ける。ここで、利用者２からの申し出としては、例えば、利用者２が保持する端末２０からのアクセス、又は電力会社４及び電話会社５が利用者２側に出向いた際に受け付けた申込み、或いは利用者２側からの依頼により受け付けた申込みなどが挙げられる。
【００３６】
共架ルート検索手段３２は、地図データ上で利用者２が指定した共架ルートの共架始点及び共架終点に基づいて、後述する地図データ管理ＤＢ３０１から共架始点から共架終点に至るまでの中継地点となる共架ポイントを抽出して、該当する共架ルートを検索する。ここで、共架ルートの検索例としては、例えば、図３に示すようなパターンが考えられる。図３（ａ）に示す例では、共架始点と共架終点を結ぶ共架ポイントの組み合わせから、３つのルートが検索されている。第１に、迂回が必要であるが、Ａ社のみが所有する支持物で構成されるルート（実線）が検索され、第２に、Ａ社のみが所有する支持物で構成されるが、改造が必要な支持物が含まれているルート（一点鎖線）が検索され、第３に、最短距離であるが、複数会社（Ａ社及びＢ社）がそれぞれ所有する支持物で構成されるルート（点線）が検索されている。一方、図３（ｂ）に示す例では、共架始点と共架終点を結ぶ共架ポイントの組み合わせから、２つのルートが検索されている。第１に、迂回が必要であるが、Ａ社のみが所有する支持物で構成されるルート（実線）が検索され、第２に、最短距離であるが、支持物を新規に設置することで構成されるルート（点線）が検索されている。
【００３７】
共架パターン抽出手段３３は、共架ルート検索手段３２により検索された共架ルートを後述する考慮条件ＤＢ３０３及び共架状況管理ＤＢ３０２に基づいて共架パターンとして抽出する。具体的には、工事基準を満足するための条件、最新の共架状況などの考慮条件ＤＢ３０３及び共架状況管理ＤＢ３０２に含まれる共架に関する種々の条件や状況を満足すると判断された共架ルートが共架パターンとして抽出される。さらに、共架パターン抽出手段３３は、後述する共架状況管理ＤＢ３０２に格納されている画像に基づいて最新の現地状態に応じた共架パターンを抽出するようにしてもよい。
【００３８】
共架パターン提案手段３４は、利用者２が所望の経済効果に応じて選定できるように、共架パターン抽出手段３３により抽出された共架パターンを費用対効果に基づいて複数パターン提案する。具体的には、共架パターンは、図４に示す例のように、対象となる設備（本実施形態では、電柱などの支持物）を示す対象設備、対象設備を所有する会社情報を示す所有区分、対象設備を改造する必要があるか否かを示す改造工事の有無、共架にかかる費用（共架料、改造費用を含む）を示すトータル費用、共架始点から共架終点までの距離を示すルート距離、利用開始までの準備期間などの共架に関わる幾つかの項目により特定される。
【００３９】
すなわち、例えば、図示の共架パターン１では、Ａ社のみの電柱を使用して改造工事無しで共架ができるもので、１社に対する申請費用を含めたそのトータルの費用、ルート距離、１社に対する申請から認可までの期間を含めた利用開始までの準備期間が提案される。また、例えば、図示の共架パターン２では、Ａ社とＢ社の電柱を使用して改造工事無しで共架ができるもので、２社に対する申請費用を含めたそのトータルの費用、ルート距離、２社に対する申請から認可までの期間を含めた利用開始までの準備期間が提案される。また、図示の共架パターン３では、Ｃ社の電柱を使用して改造工事を行って共架ができるもので、１社に対する申請費用と改造工事の費用を含めたそのトータルの費用、ルート距離、１社に対する申請から認可までの期間と改造期間を含めた利用開始までの準備期間が提案される。
【００４０】
申請代行手段３５は、利用者２が選定した共架パターンを受け付けて、該当する会社に対する共架の申請業務を代行する。
【００４１】
ここで、データベース３００とは、地図データ管理ＤＢ３０１、共架状況管理ＤＢ３０２、考慮条件ＤＢ３０３を少なくとも含んで構成されるデータベースであり、共架業務を代行する際に必要な各種情報が格納されている。
【００４２】
地図データ管理ＤＢ３０１には、支持物に関する位置データを含む地図データが格納されて管理されている。この地図データは、支持物に関する位置データなどに変更が発生した場合に更新されるようにして、常に最新の地図データとして管理される。
【００４３】
共架状況管理ＤＢ３０２には、最新の共架状況が格納されて管理されている。ここで、最新の共架状況としては、例えば、共架物を取り付けた共架者に関する共架者情報、共架した電線類に関する電線情報、取り付け時の共架状態を示す画像及び現地の周辺状況を示す画像が挙げられる。
【００４４】
考慮条件ＤＢ３０３には、共架の際に考慮すべき条件が格納されて管理されている。ここで、共架の際に考慮すべき条件としては、例えば、各会社毎の工事基準を満足させるための条件などが挙げられる。具体的には、工事基準に含まれる共架ポイント数の制限、共架ポイントの間隔、共架スペースの有無などを挙げることができる。
【００４５】
さらに、共架業務代行サーバ３０は、共架工事パターン抽出手段３６、共架工事パターン提案手段３７、及び共架工事依頼代行手段３８を含むように構成してもよい。この場合、データベース３００は、工事情報管理ＤＢ３０４、工事会社状態管理ＤＢ３０５を含むように構成すればよい。このような構成を採ることにより、利用者２から共架工事の依頼があった場合、又は改造工事が必要になった場合に機能するシステムを構築することができる。
【００４６】
共架工事パターン抽出手段３６は、利用者２から共架工事の依頼があった場合に、後述する工事情報管理ＤＢ３０４に基づいて共架パターンの内容に応じた工事請負会社を選定して、該当する共架工事パターンを抽出する。具体的には、工事情報管理ＤＢ３０４に含まれる工事請負会社の工事実績などに基づいて最適な共架工事パターンが抽出される。
【００４７】
共架工事パターン提案手段３７は、共架工事パターン抽出手段３６により抽出された共架工事パターンを費用対効果に基づいて利用者２に対して複数パターン提案する。具体的には、共架工事パターンは、図５に示す例のように、共架工事を担当する工事請負会社を示す担当区分、共架工事にかかる期間を示す工事期間、共架工事にかかる工事費用を示す工事費用などの共架工事に関わる幾つかの項目により特定される。さらに、共架工事パターン提案手段３７は、後述する工事会社状態管理ＤＢ３０５に基づいて、共架工事の工事請負会社６ａ及び６ｂの状態に応じた共架工事パターンを提案するようにしてもよい。この場合、共架工事パターンには、例えば、図５に示されるように、工事請負会社６ａ及び６ｂの状態に基づいて決定する工事開始可能日が含まれる。
【００４８】
共架工事依頼代行手段３８は、利用者２が選定した共架工事パターンを受け付けて、該当する工事請負会社に対する共架工事の申込みを代行する。
【００４９】
工事情報管理ＤＢ３０４には、支持物を所有する会社毎の共架に関する工事基準及び共架工事に関する工事実績が格納されて管理されている。
【００５０】
工事会社状態管理ＤＢ３０５には、共架工事の工事請負会社毎に関する所定期間内の状態が格納されて管理されている。具体的には、工事請負会社６ａ及び６ｂが、工事の受付が可能な状態であるか否かが管理されている。例えば、工事が可能な具体的な日程、既に予定されている工事の日程などの情報が管理される。ここで管理される情報は、ネットワーク１０を介して工事請負会社６ａ又は６ｂの端末からの情報に基づいて随時更新されることで、常に最新の状態として管理されている。これにより、共架業務代行センタ３では、工事請負会社６ａ及び６ｂの最新の状態を容易に把握することが可能となる。
【００５１】
なお、上述のような共架業務代行サーバ３０は、一般的なコンピュータの各種機能を備える情報通信機器であればよく、例えば、パーソナルコンピュータ、ワークステーション、サーバなどが挙げられる。
【００５２】
ここで、利用者２が保持する端末２０の画面構成例について説明する。図６は、本発明の一実施形態に係る共架ルート検索画面の一例を示す図であり、図７は、本発明の一実施形態に係る共架ルート検索結果の照会画面の一例を示す図である。
【００５３】
図６に示す例では、端末２０に表示される画面２００は、主に地図データ部２００ａと条件入力部２００ｂとから構成されている。このとき、利用者２が、地図データ部２００ａ上から希望する共架始点と共架終点をクリック操作により指定することで、条件入力部２００ｂの共架始点と共架終点欄に該当する地点が自動的に入力される。また、利用者２が、利用開始希望日と利用終了希望日欄に希望日を入力することで希望する共架期間を設定することができる。このように、利用者２が、利用開始希望日欄に希望日を入力することで希望する利用開始日までに準備期間が終了するパターンを抽出することが可能となる。条件入力部２００ｂに対する条件の入力が終了した後、利用者２がルート検索ボタン２００ｃをクリック操作することで、利用者２は入力条件に応じた共架ルートを簡単に検索することができる。
【００５４】
利用者２によりルート検索ボタン２００ｃがクリック操作されると、画面２００は、共架ルート検索結果を示す照会画面２０１に遷移する。図７に示す例では、入力条件（利用期間、共架ルート）に該当する３つの共架パターンが提案されている。この共架パターンは、費用、距離、準備期間という要素から評価できるようになっており、さらにコメントを設けて利用者２が理解し易い構成となっている。また、コメントの内容としては、第１に、“距離は長くなるが迂回すれば１社が所有する電柱のみで共架できるため、費用が安い”というもの、第２に、“複数の会社が所有する電柱で共架するため費用が高いが、既設の電柱を用いるため、準備期間が短い”というもの、第３に、“改造工事が必要なため、期間がかかり費用が高いが、最短距離となる”というものなどが考えられる。これにより、利用者２が優先したい要素である所望の経済効果（費用、距離、準備期間など）に基づいて、共架パターンを選択することが可能となる。
【００５５】
利用者２は、画面２０１に表示された希望する共架パターンを選択して申込みボタン２０１ａをクリック操作することで、共架業務代行センタ３に共架の申請業務を代行させることができる。
【００５６】
次に、共架業務代行システム１の動作について説明する。図８は、本発明の一実施形態に係る共架業務代行システムの通信シーケンスを示す図であり、図９は、本発明の一実施形態に係る共架業務代行システムの共架工事が依頼された場合の通信シーケンスを示す図である。
【００５７】
図８に示すように、まず、利用者２が保持する端末２０から共架業務代行センタ３に設置された共架業務代行サーバ３０に対して所定のアクセスを実行する（Ｓ１）と、共架業務代行サーバ３０から端末２０に対して地図データが提供される（Ｓ２）。このとき、利用者２が保持する端末２０の表示部には、例えば、図６に示すような画面２００が表示される。
【００５８】
そして、利用者２は、提供された（表示された）地図データ上で希望する共架ルートの共架始点及び共架終点を指定して、共架ルートの検索を実行すると（Ｓ３）、共架業務代行サーバ３０では、共架ルート検索手段３２により地図データ管理ＤＢ３０１で管理されている情報に基づいて共架ルートが検索される（Ｓ４）。
【００５９】
さらに、共架パターン抽出手段３３は、共架状況管理ＤＢ３０２及び考慮条件ＤＢ３０３に基づいて共架ルートを共架パターンとして抽出する（Ｓ５）。抽出された共架パターンは、共架パターン提案手段３４により費用対効果に基づいて利用者２に対して複数パターン提案される（Ｓ６）。このとき、利用者２が保持する端末２０の表示部には、例えば、図７に示すような画面２０１が表示される。
【００６０】
提案された複数の共架パターンから１つの共架パターンが利用者２によって選定されると（Ｓ７）、共架業務代行サーバ３０は、共架申込みの対象となる共架パターンを受け付ける（Ｓ８）。共架業務代行サーバ３０では、受け付けた共架パターンに基づいて、該当する会社に対する共架の申請を実施する（Ｓ９）。このとき、該当する会社が複数ある場合（例えば、電力会社４と電話会社５の双方が該当する場合）には、それぞれの会社４及び５に対して問合せが行われ、共架の申請処理が実施される。
【００６１】
そして、共架業務代行センタ３は、共架の申請（問合せ）を実施したそれぞれの会社からの申請許可（問合せ結果）を受けると（Ｓ１０）、申請業務が完了したものとみなして、その旨を利用者２に通知する（Ｓ１１）。これにより、最終的に、利用者２と各会社４、５間の共架契約が締結される（Ｓ１２）。
【００６２】
ここで、利用者２が共架工事を依頼する場合の処理について説明する。図９に示すように、まず、利用者２が保持する端末２０から共架業務代行サーバ３０に対して共架工事が依頼されると（Ｓ２１）、共架工事パターン抽出手段３６は、工事情報管理ＤＢ３０４に基づいて共架工事パターンを抽出する（Ｓ２２）。
【００６３】
そして、抽出された共架工事パターンは、共架工事パターン提案手段３７により費用対効果に基づいて利用者２に対して複数パターン提案される（Ｓ２３）。
【００６４】
提案された複数の共架工事パターンから１つの共架工事パターンが利用者２によって選定されると（Ｓ２４）、共架業務代行サーバ３０は、実施対象となる共架工事パターンを受け付ける（Ｓ２５）。共架業務代行サーバ３０では、受け付けた共架工事パターンに基づいて、該当する工事請負会社に対して共架工事を依頼する（Ｓ２６）。このとき、該当する工事請負会社が複数ある場合（例えば、工事請負会社６ａと工事請負会社６ｂの双方が該当する場合）には、それぞれの工事請負会社６ａ及び６ｂに対して、共架工事が依頼される。
【００６５】
利用者２によってパターンが選択されて受け付けがされると、共架業務代行センタ３及び依頼された工事請負会社６ａ及び６ｂは、各会社４、５に対して届出を提出するようにされている。この時の届出は、例えば、工事請負会社６ａ及び６ｂによる着工届け等である。
【００６６】
ここで、工事請負会社６ａ及び６ｂの選定としては、新規の共架工事の実施だけを考慮する対象とするのではなく、共架後に定期的な保守点検等を含めて実施できる等の点も考慮して選定するシステムとすることもできる。
【００６７】
工事請負会社６ａ及び６ｂ側で工事が実施されると（Ｓ２７）、共架業務代行センタ３に対して工事が完了した旨が報告される（Ｓ２８）。ここで、工事請負会社６ａ及び６ｂからの報告には、工事後の共架状況が含まれており、例えば、取り付け時の共架状態を示す画像又は工事後の現地の周辺状況を示す画像などが含まれていても良い。また、工事が終了すると、共架業務代行センタ３及び工事請負会社６ａ及び６ｂは、工事の完了届けを提出するようにされている。
【００６８】
共架業務代行サーバ３０は、工事が完了した旨の報告を受けると、その報告結果を最新の共架状況として共架状況管理ＤＢ３０２に反映させる（Ｓ２９）と共に、利用者２に対しても工事が完了した旨を報告する（Ｓ３０）。利用者２は、共架業務代行センタ３からの工事の完了報告をもって、設備の利用を開始する（Ｓ３１）。
【００６９】
なお、図９に示す通信シーケンスは、改造工事や保守管理工事を実施する場合にも同様に適用することができる。
【００７０】
また、共架業務の代行時以外において、例えば、地図データの変更及び日常点検で発生した共架状況にかかる情報の変更などが発生した場合などに、その変更した情報をデータベース３００に更新するようにしてもよい。これにより、データベース３００に最新の情報を保持することが可能となる。
【００７１】
以上説明したように、本実施形態の共架業務代行システム１では、利用者２が希望する共架ルートの共架始点及び共架終点を指定するだけで、該当する支持物を所有する会社に対する共架の申請をあらゆる情報に基づいて効率的に代行することができる。
【００７２】
上述した実施形態では、共架業務代行センタ３に設置された共架業務代行サーバ３０のデータベース３００にて電力会社４及び電話会社５毎の工事基準、共架状況、考慮すべき条件などの共架に関する情報を一元管理した構成であるが、これに限定されず、例えば、電力会社４及び電話会社５に各々が管理する独自のデータベースを設置して、共架業務代行サーバ３０がネットワーク１０経由で必要な情報を取得するように構成してもよい。また、例えば、データベースを共架業務代行サーバ３０と電力会社４及び電話会社５とで二重に設置するようにしてもよい。この場合、所定の間隔でデータベース間の同期をとらせることで、情報の整合性を保持するようにすればよい。
【００７３】
また、上述した実施形態では、共架の対象となる設備として、電柱を想定しているが、これに限定されず、例えば、管路を所有する会社に対し、ケーブル入線の申し込みをする場合にも同様なシステムとして適用することができる。
【図面の簡単な説明】
【００７４】
【図１】本発明の一実施形態に係る共架業務代行システムの概略構成を示す図である。
【図２】本発明の一実施形態に係る共架業務代行システムのシステム構成を示す図である。
【図３】本発明の一実施形態に係る共架ルートの検索例を示す図である。
【図４】本発明の一実施形態に係る共架パターン例を示す図である。
【図５】本発明の一実施形態に係る共架工事パターン例を示す図である。
【図６】本発明の一実施形態に係る共架ルート検索画面の一例を示す図である。
【図７】本発明の一実施形態に係る共架ルート検索結果の照会画面の一例を示す図である。
【図８】本発明の一実施形態に係る共架業務代行システムの通信シーケンスを示す図である。
【図９】本発明の一実施形態に係る共架業務代行システムの共架工事が依頼された場合の通信シーケンスを示す図である。
【符号の説明】
【００７５】
２  利用者
３  共架業務代行センタ
４  電力会社
５  電話会社
６ａ、６ｂ  工事請負会社
１０  ネットワーク
２０  端末
３０  共架業務代行サーバ
３１  代行業務受付手段
３２  共架ルート検索手段
３３  共架パターン抽出手段
３４  共架パターン提案手段
３５  申請代行手段
３６  共架工事パターン抽出手段
３７  共架工事パターン提案手段
３８  共架工事依頼代行手段
３００  データベース
３０１  地図データ管理ＤＢ
３０２  共架状況管理ＤＢ
３０３  考慮条件ＤＢ
３０４  工事情報管理ＤＢ
３０５  工事会社状態管理ＤＢ
【図１】
2006134226.tif 000003
【図２】
2006134226.tif 000004
【図３】
2006134226.tif 000005
【図４】
2006134226.tif 000006
【図５】
2006134226.tif 000007
【図６】
2006134226.tif 000008
【図７】
2006134226.tif 000009
【図８】
2006134226.tif 000010
【図９】
2006134226.tif 000011